(57)【要約】【課題】異常が起きた際に空気調和機本体の表示部や双方向通信を用いたリモートコントローラに異常表示を行う空気調和機の従来の異常状態のクリア方法では、再度異常状態を確認するためにサービスマンやユーザーが異常状態をクリアしようとする場合、その度に空気調和機本体のリセットスイッチや電源スイッチを操作したり、電源コードを抜く作業をしなければならないという課題を有していた【解決手段】リモートコントローラＡ上に電源リセットスイッチ１を備え、空気調和機本体Ｂの電源開閉手段６を動作させることにより、電源を手元で遮断できるので、異常状態クリアするために、また中間期に電源コードを抜いたりする手間がなくなるので、サービス性の向上が図れる。また、無駄な待機電力も簡単にカットすることができるようになる。【選択図】図1
2007192491.tif 000002
【特許請求の範囲】
【請求項１】
リモートコントローラからの信号を受信する受信部と、リモートコントローラからの信号を受信し、空気調和機本体の制御を行う制御部と、制御部からの指令により電源を開閉させる電源開閉手段と、空気調和機に電源を供給する電源回路部と、電源を遮断されても制御部と受信部に電源を供給することが出来るバッテリーを含む充電部とを備えた空気調和機本体と、リモートコントローラから信号を送信する送信部と、電源開閉信号を発生させる電源リセットスイッチと、電源開閉信号を送信する制御部を設けたリモートコントローラとを具備して構成される空気調和機において、リモートコントローラから電源開閉信号を受信した時に、空気調和機本体の電源を遮断することを特徴とした空気調和機。
【請求項２】
空気調和機本体の電源遮断時に表示させる表示部を備えたことを特徴とする請求項１に記載の空気調和機。
【発明の詳細な説明】
【技術分野】
【０００１】
本発明はリモートコントローラを使用して動作する空気調和機に関するものである。
【背景技術】
【０００２】
従来、異常状態を検知してユーザーにその旨を通知する機能を有する空気調和機として、異常状態が生じた際には異常状態の記憶をリモートコントローラからの信号に応じて返信し、リモートコントローラは返信信号に応じて異常状態の内容をリモートコントローラの表示装置に表示するものが開示されている（例えば、特許文献１参照）。そして、ユーザーはこの異常情報を確認して、その故障診断に応じてサービスマンに対応を依頼していた。
【０００３】
また、異常の発生の原因が偶発的な電源のノイズ等の場合であれば、電源スイッチを有する空気調和機ならばこれを操作して電源回路を一旦切ったり、空気調和機の電源コードを抜いて電源を切るようにしてリセットし再起動させて復旧すれば再度正常動作にて運転可能な場合があった。
【特許文献１】特開平４−３２４０４６号公報
【発明の開示】
【発明が解決しようとする課題】
【０００４】
しかしながら、前記従来の構成では、異常の発生の原因が偶発的な電源のノイズ等の場合であれば、再度異常状態を確認するためにサービスマンやユーザーが異常状態をクリアしようとする場合、その度に空気調和機本体のリセットスイッチや電源スイッチを操作したり、電源コードを抜く作業をしなければならないという課題を有していた。
【０００５】
本発明は上記従来の課題を解決するもので、空気調和機本体の操作や電源コードを抜く作業をすることなく電源を遮断し、作業性を向上することを目的とする。
【課題を解決するための手段】
【０００６】
前記従来の課題を解決するために、本発明の空気調和機は、リモートコントローラを使用し、電源を遮断することが可能になる。これによって、電源コードを抜く作業が不要となり、工事の作業性や、異常発生時におけるサービスマンの工事性向上となる。
【０００７】
また、これによって、中間期にブレーカー、コンセントを抜く作業をしなくても、手元のリモートコントローラから電源を遮断することができる。
【発明の効果】
【０００８】
空気調和機を使用しない中間期に、ブレーカー、コンセントの抜く操作をしなくても、手元のリモートコントローラから電源を遮断させることができ、無駄な待機電力を必要としない。また、サービス時にも手元から電源をリセットでき、工事性を向上することができる。
【発明を実施するための最良の形態】
【０００９】
第１の発明は、リモートコントローラからの信号を受信する受信部と、リモートコントローラからの信号を受信し、空気調和機本体の制御を行う制御部と、制御部からの指令により電源を開閉させる電源開閉手段と、空気調和機に電源を供給する電源回路部と、電源を遮断されても制御部と受信部に電源を供給することが出来るバッテリーを含む充電部とを備えた空気調和機本体と、リモートコントローラから信号を送信する送信部と、電源開
閉信号を発生させる電源リセットスイッチと、電源開閉信号を送信する制御部を設けたリモートコントローラとを具備して構成される空気調和機とすることにより、リモートコントローラから電源開閉信号を受信した時に、空気調和機本体の電源を遮断することが可能となり、中間期にブレーカー、コンセントの抜く操作をしなくても、手元（リモートコントローラ）から電源を遮断させることができ、無駄な待機電力を必要としない。また、サービス時にも手元から電源をリセットができ、作業向上をはかることができる。
【００１０】
第２の発明は、特に、第１の発明の手元のリモートコントローラから電源を遮断したことを表示させる表示部を備えたことにより電源状態を表示部により確認することができる。
【００１１】
以下、本発明の実施の形態について、図面を参照しながら説明する。なお、この実施の形態によって本発明が限定されるものではない。
【００１２】
（実施の形態１）
図１は、本発明の第１の実施の形態における構成ブロック図である。リモートコントローラＡと、空気調和機本体Ｂを表す。リモートコントローラＡは、電源リセットスイッチ１と、制御部２と送信部３によって構成している。また、空気調和機Ｂは、リモートコントローラＡからの信号を受信する受信部４と、受信した信号によって制御する制御部５と、制御部からの指令によって電源を開閉させる電源開閉手段６と、空気調和機に電源を供給する電源回路７と、電源開閉手段6によって電源遮断された場合にも制御部５、受信部４に電源を供給可能となるバッテリーを含む充電部８によって構成している。
【００１３】
以上のように構成されたリモートコントローラＡと空気調和機Ｂについて、以下その動作、作用を説明する。
【００１４】
まず、電源リセットスイッチ１により電源リセット信号が発生した場合、リモートコントローラ側の制御部２により送信部３を制御し、この信号を送信部３が送信する。空気調和機Ｂ本体側の受信部４が検知し、制御部５が運転を停止するとともに電源開閉手段６にて電源を遮断する。
【００１５】
以上のように、本実施の形態においてはリモートコントローラの電源リセットスイッチにより空気調和機の電源を遮断することができる。
【００１６】
また、本実施の形態では空気調和機本体Ｂに充電部８を構成したことにより電源開閉手段６により電源遮断がされても、空気調和機本体Ｂの制御部５、受信部４に電源供給ができる。
【００１７】
（実施の形態２）
図２は、本発明の第２の実施の形態における構成ブロック図である。本発明の第１の実施の形態で示した空気調和機Ｂに表示部９が構成される。リモートコントローラＡの電源リセットスイッチ１より送信された信号により、空気調和機Ｂ本体側の受信部４が検知し、制御部５が運転を停止するとともに電源開閉手段６にて電源を遮断し、表示部９に電源遮断中であることを表示することができる。
【産業上の利用可能性】
【００１８】
以上のように、本発明にかかる空気調和機は、リモートコントローラの電源リセットスイッチにて空気調和機の電源遮断が可能となるので、空気調和機を使用しない中間期において、ブレーカーやコンセントを抜く作業をしなくても手元で操作することが可能となり、サービス、工事性の向上も図ることができる。
【図面の簡単な説明】
【００１９】
【図１】本発明の実施の形態１における空気調和機の構成ブロック図
【図２】本発明の実施の形態２における空気調和機の構成ブロック図
【図３】従来技術空気調和機の構成ブロック図
【符号の説明】
【００２０】
Ａ  リモートコントローラ
Ｂ  空気調和機本体
１  電源リセットスイッチ
２  制御部
３  送信部
４  受信部
５  制御部
６  電源開閉手段
７  制御電源回路
８  充電部
９  表示部
ａ  従来技術のリモートコントローラ
ｂ  従来技術の空気調和機本体
１１  従来技術のリセットスイッチ
１２  従来技術の制御部
１３  従来技術の送信部
１４  従来技術の受信部
１５  従来技術の制御部
１６  従来技術の不揮発性メモリ
１７  従来技術の揮発性メモリ
１８  従来技術の異常判断手段
１９  従来技術の表示部
【図１】
2007192491.tif 000003
【図２】
2007192491.tif 000004
【図３】
2007192491.tif 000005